(57)【要約】      （修正有）【課題】飲料容器が外部からの水分によって器壁が膨潤／湿潤して軟化している程度を評価する方法及びその装置を提供する。【解決手段】容器評価法は、紙基材に樹脂層が積層され、折り目線が付された紙包装材料を縦シールして筒状に成形し、筒状の包装材料に液体食品を充填し、横シールして予備成形体を得、折り目線に沿って折り畳んで形成された角柱状の容器を評価する方法であって、容器の縦稜線の各々に生じている外部からの水分による湿潤軟化部分の縦方向の長さを測定し、測定値合計から、縦稜線全体長に対する軟化部分の割合を算出して、外部水による容器の湿潤軟化度を評価することを特徴とする。【選択図】図１
2010133834.tif 000002
【特許請求の範囲】
【請求項１】
紙基材に樹脂層が積層され、折り目線が付された紙包装材料を縦シールして筒状に成形し、筒状の該包装材料に液体食品を充填し、横シールして予備成形体を得、該折り目線に沿って折り畳んで形成された角柱状の容器を評価する方法であって、
該容器の縦稜線の各々に生じている外部からの水分による湿潤軟化部分の縦方向の長さを測定し、
該測定値合計から、該縦稜線全体長に対する該軟化部分の割合を算出して、外部水による該容器の湿潤軟化度を評価する、
ことを特徴とする容器評価法。
【請求項２】
該湿潤軟化部分の有無を触診で検知し、該湿潤軟化部分の縦方向の長さを測定する、請求項１記載の容器評価法。
【請求項３】
紙基材に樹脂層が積層され、折り目線が付された紙包装材料を縦シールして筒状に成形し、筒状の該包装材料に液体食品を充填し、横シールして予備成形体を得、該折り目線に沿って折り畳んで形成された角柱状の容器の評価装置であって、
該容器の縦稜線の各々に生じている外部からの水分による湿潤軟化部分の縦方向の長さを測定する計測手段と、
該計測手段から得られた測定値合計から、該縦稜線全体長に対する該軟化部分の割合を算出して、外部水による該容器の湿潤軟化度を算出して該容器を評価する評価手段と、
を備えることを特徴とする容器評価装置。
【発明の詳細な説明】
【技術分野】
【０００１】
本発明は、飲料容器が外部からの水分によって器壁が膨潤／湿潤して軟化している程度を評価する方法及びその容器評価装置に関する。
【背景技術】
【０００２】
ジュースや牛乳などの液体食品などを充填した幾つかの紙製容器においては、所定の折り目線を有するウェブ状包装積層材料をチューブ状に成形し、チューブの縦線方向に縦シールし、チューブ状包装材料内に食品を充填し、所定間隔毎にチューブ状包装材料を押圧し横断方向の横シールにより密封し、横シール帯域中間で切断して枕状予備成形体を得、折り目線に沿って折り畳むことにより形成された横シール帯域を含むフラップを容器側壁及び容器底面にシールし、最終形状の容器を得る。
【０００３】
枕状予備成形体１３が折り畳まれる態様を図２に示す。枕状予備成形体１３は、２本の横（横線）シール帯域２３及び縦シール帯域２６で密封され、折り目線によって区分された側壁２２、２２b及び２２ａを有する。（図２（ａ）参照）
図２（b）に示すように、折り目線に沿って、枕状予備成形体の本体部分が直方体形状に成形され、端部には、横シール帯域２３と、フラップ２４、２５とが器壁から直立するように形成される。横シール帯域２３は、底面２２ｂと頂面２２ａとから直立し、フラップ２４、２５は、稜辺２５ａ、２４ａを介して容器壁に一体的に連通する。
次いで、図２（c）に示すように、横シール帯域２３を折り畳んだ後、稜辺を中心にフラップを回転して、容器頂部側フラップ２４は、側壁２２に、容器底部側フラップ２５は、底面２２ｂに、折り込まれる。
【０００４】
図１に、直方体状液体食品充填紙製容器の外観斜視図を示す。その容器１４は、折り込まれた横シール帯域２３、容器壁２２及び２２ａ、頂壁２２ａから背面の器壁を経て底面に至る縦シール帯域２６を有し、稜辺２４ａを介して折り込まれたフラップ２４を備える。
【０００５】
上記容器について、品質を評価する方法には、フラップが容器壁に一体的に連通する稜辺を中心に、容器壁にシールされているフラップを回転して器壁から引き剥がし、枕状予備成形体の形状に戻し、容器器壁を切断して充填された食品を取り出し、切断された容器を展開して被検体を調製し、横シール帯域の容器内部側の縁部を、検出手段で、縁部の外表面全長にわたって、外表面の凹凸について、測定し、検出手段からの信号に基づいて、分析手段で横シール帯域の良否を判定する上記容器の評価方法がある。（特許文献１参照）
【特許文献１】特許第３８１８９５２号公報
【発明の開示】
【発明が解決しようとする課題】
【０００６】
しかしながら、上記容器について評価する項目は更にあり、それらの項目について客観的に評価する方法、手段が確立されていない。これらは評価すべき項目（対象）が人間の五感に頼る割合が多く主観的な面が多くを占めているからでもある。
【０００７】
この発明は、主観的な面が多くを占め、客観的に評価することが難しいと考えられていた項目、すなわち、飲料容器が外部からの水分によって器壁が膨潤／湿潤して軟化している程度を評価する方法及びその装置を提供することを目的とする。
【課題を解決するための手段】
【０００８】
この発明の容器評価法は、紙基材に樹脂層が積層され、折り目線が付された紙包装材料を縦シールして筒状に成形し、筒状の包装材料に液体食品を充填し、横シールして予備成形体を得、折り目線に沿って折り畳んで形成された角柱状の容器を評価する方法であって、
容器の縦稜線の各々に生じている外部からの水分による湿潤軟化部分の縦方向の長さを測定し、
測定値合計から、縦稜線全体長に対する軟化部分の割合を算出して、外部水による容器の湿潤軟化度を評価することを特徴とする。
【０００９】
この発明の好ましい態様において、湿潤軟化部分の有無を触診で検知し、湿潤軟化部分の縦方向の長さを測定する。
【００１０】
この発明の容器評価装置は、紙基材に樹脂層が積層され、折り目線が付された紙包装材料を縦シールして筒状に成形し、筒状の包装材料に液体食品を充填し、横シールして予備成形体を得、折り目線に沿って折り畳んで形成された角柱状の容器の評価装置であって、
容器の縦稜線の各々に生じている外部からの水分による湿潤軟化部分の縦方向の長さを測定する計測手段と、
計測手段から得られた測定値合計から、縦稜線全体長に対する軟化部分の割合を算出して、外部水による容器の湿潤軟化度を算出して容器を評価する評価手段と、
を備えることを特徴とする。
【発明の効果】
【００１１】
この発明による容器評価法及び容器評価装置は、紙基材に樹脂層が積層され、折り目線が付された紙包装材料を縦シールして筒状に成形し、筒状の包装材料に液体食品を充填し、横シールして予備成形体を得、折り目線に沿って折り畳んで形成された角柱状の容器を評価する。
紙包装材料が折り曲げられるので、紙基材が折られた部分で亀裂、割れなどが生じる恐れがあり、また樹脂層にあった微小なピンホールが折り曲げにより拡大する恐れもある。このようなピンホールや割れなどから、外部の水分が浸透し紙基材の器壁を膨潤／湿潤させて軟化させる恐れがある。
【００１２】
この発明の特徴において、容器の縦稜線の各々に生じている外部からの水分による湿潤軟化部分の縦方向の長さを測定し、測定値合計から、縦稜線全体長に対する軟化部分の割合を算出して、外部水による容器の湿潤軟化度を評価する。
この発明において、紙包装材料を折り曲げる部分でかつ外観から容易に観察できる箇所は、容器の縦稜線である。この発明において、この箇所の湿潤軟化部分に注目する。
また、浸透した外部水は、器壁を伝わって更に浸透し、湿潤軟化部分の面積が２次元的に拡大する。この２次元的な拡大は、縦稜線に沿って広がるので、縦稜線の湿潤軟化部分の縦方向の長さ、すなわち１次元的な広がりと概ね比例し、煩雑な２次元的な面積（湿潤軟化部分の面積）を測定するまでもなく、定量的に客観的に評価できる。
【００１３】
この発明の好ましい態様において、湿潤軟化部分の有無を触診で検知し、湿潤軟化部分の縦方向の長さを測定する。
湿潤軟化部分の有無は、湿り気、器壁の軟らかさ、弾力感などにより、測定機器で測定することもできる。
この発明の好ましい態様において、人間の五感に頼り、触診で検知する。単に長さだけであるので、安価にかつ簡易に検知して測定することができる。
【００１４】
この発明の容器評価装置は、紙基材に樹脂層が積層され、折り目線が付された紙包装材料を縦シールして筒状に成形し、筒状の包装材料に液体食品を充填し、横シールして予備成形体を得、折り目線に沿って折り畳んで形成された角柱状の容器の評価装置である。
紙包装材料が折り曲げられるので、紙基材が折られた部分で亀裂、割れなどが生じる恐れがあり、また樹脂層にあった微小なピンホールが折り曲げにより拡大する恐れもある。このようなピンホールや割れなどから、紙容器は外部の水分が浸透し紙基材の器壁を膨潤／湿潤させて軟化させる恐れがある。
計測手段は、容器の縦稜線の各々に生じている外部からの水分による湿潤軟化部分の縦方向の長さを測定する。
評価手段は、計測手段から得られた測定値合計から、縦稜線全体長に対する軟化部分の割合を算出して、外部水による容器の湿潤軟化度を算出して容器を評価する。
【発明を実施するための最良の形態】
【００１５】
以下、本発明の実施の形態について図面を参照しながら詳細に説明する。
図１は、この発明によって評価する飲料容器の外観と評価の仕方を示す外観図である。
図２は、この発明に使用される紙容器への成形ステップを示す外観図である。
図１に示す容器を例示して評価方法を説明する。
図１に示す容器１４は、容器天面に折り込まれた横シール帯域２３、容器底面（図示せず）、４面の容器側壁２２及び、容器天面２２ａ、容器天面２２ａから背面２２の器壁を経て底面に至る縦シール帯域２６を有し、稜辺２４ａを介して容器側壁２２に折り込まれたフラップ２４を備える。
この容器は、紙基材に樹脂層が積層され、折り目線が付された紙包装材料を縦シールして筒状に成形し、筒状の包装材料に液体食品を充填し、横シールして予備成形体を得、折り目線に沿って折り畳んで形成された四角柱状の容器である。
４面の容器側壁２２は、縦稜線３０によって画される。
紙包装材料が折り曲げられるので、紙基材が折られた部分で亀裂、割れなどが生じることもある。更に、樹脂層にあった微小なピンホールが折り曲げにより拡大し、ピンホールや割れなどから、外部の水分が浸透し紙基材の器壁を膨潤／湿潤させて軟化させる。
【００１６】
この実施例において、容器の縦稜線３０の各々に生じている外部からの水分による湿潤軟化部分の縦方向の長さＬを測定する。測定値合計から、縦稜線全体長に対する軟化部分の割合を算出して、外部水による容器の湿潤軟化度を評価する。
湿潤軟化部分の縦方向の長さＬが、それぞれ、１０ｍｍ＋１０ｍｍ＋２０ｍｍ＋３０ｍｍ＋２０ｍｍ＋７０ｍｍ＋２０ｍｍ＋１０ｍｍであれば、その合計は、＝２００ｍｍとなる。
縦稜線全体長が１３０ｍｍＸ４＝５２０ｍｍであれば、
軟化部分の割合は、２００ｍｍ／５２０ｍｍ＝３８％と定量的かつ客観的に評価される。
紙包装材料を折り曲げる部分でかつ外観から容易に観察できる箇所は、上記縦稜線であり、この箇所の湿潤軟化部分に注目する。
このように、煩雑な２次元的な面積（湿潤軟化部分の面積）を測定するまでもなく、定量的に客観的に評価できる。これは、浸透した外部水は、器壁を伝わって更に浸透し、湿潤軟化部分の面積が２次元的に拡大し、２次元的な拡大は、縦稜線に沿って広がるので、縦稜線の湿潤軟化部分の縦方向の長さ、すなわち１次元的な広がりと概ね比例するからである。
この態様において、人間の五感に頼り、湿潤軟化部分の有無を触診で検知し、湿潤軟化部分の縦方向の長さを測定する。
【００１７】
上述したように、主観的な面が多くを占め、客観的に評価することが難しいと考えられていた項目である飲料容器が外部からの水分によって器壁が膨潤／湿潤して軟化している程度を評価することができる。
【００１８】
なお、本発明は前記実施の形態に限定されるものではなく、本発明の趣旨に基づいて種々変形させることが可能であり、それらを本発明の範囲から排除するものではない。
【産業上の利用可能性】
【００１９】
この発明によって、牛乳、ジュースなどの包装容器に利用することができる。
【図面の簡単な説明】
【００２０】
【図１】この発明によって評価する飲料容器の外観と評価の仕方を示す外観図である。
【図２】この発明に使用される紙容器への成形ステップを示す外観図である。
【符号の説明】
【００２１】
２３      横シール帯域
２２ａ    容器天面
２２      側壁
３０    縦稜線
【図１】
2010133834.tif 000003
【図２】
2010133834.tif 000004